(57)【要約】【課題】移動する表示対象の視認性を向上させることができる、表示システム、表示方法、及び表示プログラムを提供すること。【解決手段】前方ディスプレイ１１と後方ディスプレイ１２が距離を隔てて重畳配置された表示システム１において、前方ディスプレイ１１の表示制御を行う前方制御部１３ａと、前方ディスプレイ１１を通して視認可能な後方ディスプレイ１２の表示制御を行う後方制御部１３ｂとを備える。前方ディスプレイ１１と後方ディスプレイ１２の表示オブジェクトの少なくとも一方の移動に伴い、前方ディスプレイ１１の表示オブジェクトと後方ディスプレイ１２の表示オブジェクトが重畳する場合に、前方制御部１３ａと後方制御部１３ｂの少なくとも一方が、重複範囲にある表示制御する表示オブジェクトを特定し、当該特定した表示オブジェクトの明度を制御する。【選択図】図１
2013130842.tif 000002
【特許請求の範囲】
【請求項１】
複数のディスプレイが距離を隔てて重畳配置された表示システムにおいて、
前方ディスプレイの表示オブジェクトを表示制御する前方制御手段と、
前記前方ディスプレイを通して視認可能な後方ディスプレイの表示オブジェクトを表示制御する後方制御手段とを備え、
前記前方ディスプレイと前記後方ディスプレイの表示オブジェクトの少なくとも一方の移動に伴い、前記前方ディスプレイの表示オブジェクトと前記後方ディスプレイの表示オブジェクトが重畳する場合に、
前記前方制御手段と前記後方制御手段の少なくとも一方が、重複範囲にある表示制御する表示オブジェクトを特定し、当該特定した表示オブジェクトの明度を制御する、
表示システム。
【請求項２】
前記前方ディスプレイの表示オブジェクトと前記後方ディスプレイの表示オブジェクトとの表示の優先度を判定する優先度判定手段を備え、
前記優先度判定手段によって前記前方ディスプレイの表示オブジェクトの優先度が低いと判定された場合に、前記前方制御手段が前記重畳範囲にある前記前方ディスプレイの表示オブジェクトの明度を制御し、
前記優先度判定手段によって前記後方ディスプレイの表示オブジェクトの優先度が低いと判定された場合に、前記後方制御手段は、前記重畳範囲にある前記後方ディスプレイの表示オブジェクトの明度を制御する、
請求項１に記載の表示システム。
【請求項３】
前記表示オブジェクトの移動方向を判定する移動方向判定手段を備え、
前記移動方向判定手段によって前記表示オブジェクトの移動方向が前記前方ディスプレイから前記後方ディスプレイに至る方向であると判定された場合に、
前記後方制御手段は、前記重畳範囲にある前記前方ディスプレイの表示オブジェクトを前記後方ディスプレイに表示し、
前記前方制御手段は、前記後方制御手段により前記前方ディスプレイの表示オブジェクトを前記後方ディスプレイに表示した後に、前記重畳範囲にある前記前方ディスプレイの表示オブジェクトの明度を制御し、
前記移動方向判定手段によって前記表示オブジェクトの移動方向が後方から前方に至る方向であると判定された場合に、
前記前方制御手段は、前記重畳範囲にある前記後方ディスプレイの表示オブジェクトを前記前方ディスプレイに表示し、
前記後方制御手段は、前記前方制御手段により前記後方ディスプレイの表示オブジェクトを前記前方ディスプレイに表示した後に、前記重畳範囲にある前記後方ディスプレイの表示オブジェクトの明度を制御する、
請求項１又は２に記載の表示システム。
【請求項４】
前記前方制御手段及び前記後方制御手段は、前記重畳範囲に対応する前記前方ディスプレイ又は前記後方ディスプレイの表示オブジェクトを消去する、
請求項１から３のいずれか一項に記載の表示システム。
【請求項５】
複数のディスプレイが距離を隔てて重畳配置された表示システムを用いて表示を行う表示方法において、
前方ディスプレイの表示オブジェクトを表示制御する前方制御ステップと、
前記前方ディスプレイを通して視認可能な後方ディスプレイの表示オブジェクトを表示制御する後方制御ステップとを含み、
前記前方ディスプレイと前記後方ディスプレイの表示オブジェクトの少なくとも一方の移動に伴い、前記前方ディスプレイの表示オブジェクトと前記後方ディスプレイの表示オブジェクトが重畳する場合に、
前記前方制御ステップと前記後方制御ステップの少なくとも一方において、前記重複範囲にある表示制御する表示オブジェクトを特定し、当該特定した表示オブジェクトの明度を制御する、
表示方法。
【請求項６】
請求項５に記載の方法をコンピュータに実行させる表示プログラム。
【発明の詳細な説明】
【技術分野】
【０００１】
本発明は、表示システム、表示方法、及び表示プログラムに関する。
【背景技術】
【０００２】
従来、複数の液晶パネルを重畳配置して構成した多層表示装置（ＭＬＤ：Ｍｕｌｔｉ  Ｌａｙｅｒ  Ｄｉｓｐｌａｙ）が知られている。例えば、乗員から見て手前側の第一ディスプレイと奥側の第二ディスプレイを重畳して配置した多層ディスプレイを有するナビゲーション装置であって、第一ディスプレイに第一の高さ情報を有する道路を、第二ディスプレイに第二の高さ情報を有する道路をそれぞれ表示して、１つの道路地図を描画する装置が提案されている（例えば、特許文献１参照）。
【先行技術文献】
【特許文献】
【０００３】
【特許文献１】特開２０１１−１４５１７２号公報
【発明の概要】
【発明が解決しようとする課題】
【０００４】
ところで、上述の如き従来の多層表示装置において、最前方以外のスクリーン（例えばデュアルスクリーンディスプレイにおける後方スクリーン）の表示対象と、そのスクリーンの前方のスクリーン（例えばデュアルスクリーンディスプレイにおける前方スクリーン）の表示対象とが、相互に重畳するような場合には、当該前方のスクリーンに後方から入射する光量が少なくなるため、当該前方のスクリーンに表示されている表示対象の視認性が低下する可能性があった。特に、アニメーションのように表示対象を移動させつつ表示するような場合には、このような重畳が頻繁に生じる可能性があり、視認性にさらなる向上の余地があった。
【０００５】
本発明は、上記に鑑みてなされたものであって、移動する表示対象の視認性を向上させることができる、表示システム、表示方法、及び表示プログラムを提供することを目的とする。
【課題を解決するための手段】
【０００６】
上述した課題を解決し、目的を達成するために、請求項１に記載の表示システムは、複数のディスプレイが距離を隔てて重畳配置された表示システムにおいて、前方ディスプレイの表示オブジェクトを表示制御する前方制御手段と、前記前方ディスプレイを通して視認可能な後方ディスプレイの表示オブジェクトを表示制御する後方制御手段とを備え、前記前方ディスプレイと前記後方ディスプレイの表示オブジェクトの少なくとも一方の移動に伴い、前記前方ディスプレイの表示オブジェクトと前記後方ディスプレイの表示オブジェクトが重畳する場合に、前記前方制御手段と前記後方制御手段の少なくとも一方が、重複範囲にある表示制御する表示オブジェクトを特定し、当該特定した表示オブジェクトの明度を制御する。
【０００７】
また、請求項２に記載の表示システムは、請求項１に記載の表示システムにおいて、前記前方ディスプレイの表示オブジェクトと前記後方ディスプレイの表示オブジェクトとの表示の優先度を判定する優先度判定手段を備え、前記優先度判定手段によって前記前方ディスプレイの表示オブジェクトの優先度が低いと判定された場合に、前記前方制御手段が前記重畳範囲にある前記前方ディスプレイの表示オブジェクトの明度を制御し、前記優先度判定手段によって前記後方ディスプレイの表示オブジェクトの優先度が低いと判定された場合に、前記後方制御手段は、前記重畳範囲にある前記後方ディスプレイの表示オブジェクトの明度を制御する。
【０００８】
また、請求項３に記載の表示システムは、請求項１又は２に記載の表示システムにおいて、前記表示オブジェクトの移動方向を判定する移動方向判定手段を備え、前記移動方向判定手段によって前記表示オブジェクトの移動方向が前記前方ディスプレイから前記後方ディスプレイに至る方向であると判定された場合に、前記後方制御手段は、前記重畳範囲にある前記前方ディスプレイの表示オブジェクトを前記後方ディスプレイに表示し、前記前方制御手段は、前記後方制御手段により前記前方ディスプレイの表示オブジェクトを前記後方ディスプレイに表示した後に、前記重畳範囲にある前記前方ディスプレイの表示オブジェクトの明度を制御し、前記移動方向判定手段によって前記表示オブジェクトの移動方向が後方から前方に至る方向であると判定された場合に、前記前方制御手段は、前記重畳範囲にある前記後方ディスプレイの表示オブジェクトを前記前方ディスプレイに表示し、前記後方制御手段は、前記前方制御手段により前記後方ディスプレイの表示オブジェクトを前記前方ディスプレイに表示した後に、前記重畳範囲にある前記後方ディスプレイの表示オブジェクトの明度を制御する。
【０００９】
また、請求項４に記載の表示システムは、請求項１から３のいずれか一項に記載の表示システムにおいて、前記前方制御手段及び前記後方制御手段は、前記重畳範囲に対応する前記前方ディスプレイ又は前記後方ディスプレイの表示オブジェクトを消去する。
【００１０】
また、請求項５に記載の表示方法は、複数のディスプレイが距離を隔てて重畳配置された表示システムを用いて表示を行う表示方法において、前方ディスプレイの表示オブジェクトを表示制御する前方制御ステップと、前記前方ディスプレイを通して視認可能な後方ディスプレイの表示オブジェクトを表示制御する後方制御ステップとを含み、前記前方ディスプレイと前記後方ディスプレイの表示オブジェクトの少なくとも一方の移動に伴い、前記前方ディスプレイの表示オブジェクトと前記後方ディスプレイの表示オブジェクトが重畳する場合に、前記前方制御ステップと前記後方制御ステップの少なくとも一方において、前記重複範囲にある表示制御する表示オブジェクトを特定し、当該特定した表示オブジェクトの明度を制御する。
【００１１】
また、請求項６に記載の表示プログラムは、請求項５に記載の方法をコンピュータに実行させる表示プログラムである。
【発明の効果】
【００１２】
請求項１に記載の表示システム、請求項５に記載の表示方法、及び請求項６に記載の表示プログラムによれば、前方ディスプレイと後方ディスプレイの表示オブジェクトの少なくとも一方の移動に伴い、前方ディスプレイの表示オブジェクトと後方ディスプレイの表示オブジェクトが重畳する場合に、重複範囲にある表示制御する表示オブジェクトを特定し、当該特定した表示オブジェクトの明度を制御するので、重畳範囲において表示対象が見難くなることを回避でき、移動する表示対象の視覚効果を向上させることができる。
【００１３】
また、請求項２に記載の表示システムによれば、前方ディスプレイの表示オブジェクトの優先度が低いと判定された場合に、前方ディスプレイの表示オブジェクトの明度を制御し、後方ディスプレイの表示オブジェクトの優先度が低いと判定された場合に、後方ディスプレイの表示オブジェクトの明度を制御するので、優先度が低い表示対象を消去したり暗くしたりすることで、優先度が高い表示対象を強調等することができ、移動する表示対象の視覚効果を向上させることができる。
【００１４】
また、請求項３に記載の表示システムによれば、表示オブジェクトの移動方向が前方ディスプレイから後方ディスプレイに至る方向であると判定された場合に、前方ディスプレイの表示オブジェクトを後方ディスプレイに表示した後に、前方ディスプレイの表示オブジェクトの明度を制御し、表示オブジェクトの移動方向が後方から前方に至る方向であると判定された場合に、後方ディスプレイの表示オブジェクトを前方ディスプレイに表示した後に、重畳範囲にある後方ディスプレイの表示オブジェクトの明度を制御するので、移動元の表示対象を消去したり暗くしたりすることで、移動先の表示対象を強調等することができ、移動する表示対象の視覚効果を向上させることができる。
【００１５】
また、請求項４に記載の表示システムによれば、重畳範囲に対応する前方ディスプレイ又は後方ディスプレイの表示オブジェクトを消去するので、重畳範囲の一方を完全に消去することで、重畳範囲の他方を一層強調等することができ、移動する表示対象の視覚効果を一層向上させることができる。
【図面の簡単な説明】
【００１６】
【図１】本発明の実施の形態１に係る表示システムを例示するブロック図である。
【図２】前方ディスプレイ及び後方ディスプレイの配置を概略的に示した斜視図である。
【図３】前方ディスプレイ及び後方ディスプレイの表示を例示した正面図であり、図３（ａ）は前方ディスプレイの表示を例示した図、図３（ｂ）は後方ディスプレイの表示を例示した図、図３（ｃ）は重畳配置された前方ディスプレイ及び後方ディスプレイの前方から見た場合の表示を例示した図である。
【図４】表示処理のフローチャートである。
【図５】前方表示変更処理のフローチャートである。
【図６】後方表示変更処理のフローチャートである。
【図７】前方ディスプレイ及び後方ディスプレイの表示を例示した正面図であり、図７（ａ）は前方ディスプレイの表示を例示した図、図７（ｂ）は後方ディスプレイの表示を例示した図、図７（ｃ）は図７（ｂ）の要部拡大図である。
【図８】実施の形態２に係る表示システムを例示するブロック図である。
【図９】表示処理のフローチャートである。
【図１０】前後表示変更処理のフローチャートである。
【図１１】後前表示変更処理のフローチャートである。
【発明を実施するための形態】
【００１７】
以下、本発明に係る表示システム、表示方法、及び表示プログラムの各実施の形態について図面を参照しつつ詳細に説明する。ただし、各実施の形態によって本発明が限定されるものではない。なお、本発明に係る表示システム、表示方法、及び表示プログラムは、任意の目的に使用することができるが、以下の実施の形態では、カーナビゲーションシステムに適用した例を示す。
【００１８】
〔実施の形態１〕
最初に、実施の形態１に係る表示システムについて説明する。この実施の形態１は、前方ディスプレイの表示領域内又は後方ディスプレイの表示領域内で移動する移動表示対象の明度を制御する形態である。
【００１９】
（構成）
最初に、実施の形態１に係る表示システムの構成について説明する。図１は実施の形態１に係る表示システムを例示するブロック図である。この図１に示すように、表示システム１は、タッチパネル１０、前方ディスプレイ１１、後方ディスプレイ１２、制御部１３、及びデータ記録部１４を備えている。
【００２０】
（構成−タッチパネル）
タッチパネル１０は、接触検出面を有する入力手段である。このタッチパネル１０は、透明又は半透明状に形成され、前方ディスプレイ１１の前面において当該前方ディスプレイ１１の表示面と重なり合うように設けられている。このタッチパネル１０としては、例えば抵抗膜方式や静電容量方式等による接触検出面を備えた公知のタッチパネルを使用することができる。
【００２１】
（構成−前方ディスプレイ及び後方ディスプレイ）
前方ディスプレイ１１及び後方ディスプレイ１２は、制御部１３の制御に基づき、各種の情報を表示する表示手段である。これらの前方ディスプレイ１１及び後方ディスプレイ１２は、例えば公知の液晶ディスプレイや有機ＥＬディスプレイの如きフラットパネルディスプレイを用いて構成されている。
【００２２】
図２は、前方ディスプレイ１１及び後方ディスプレイ１２の配置を概略的に示した斜視図である。この図２に示すように、前方ディスプレイ１１と後方ディスプレイ１２とは距離を隔てて重畳配置されている。ここで「前方」とは、前方ディスプレイ１１及び後方ディスプレイ１２における表示方向（図２における矢印の方向）を意味する。すなわち、後方ディスプレイ１２における表示面側に、前方ディスプレイ１１が重畳配置されている。
【００２３】
前方ディスプレイ１１は後方ディスプレイ１２の表示を透過可能なディスプレイ（例えば透明液晶ディスプレイや透明有機ＥＬディスプレイ）として構成されている。これにより、後方ディスプレイ１２の表示を前方ディスプレイ１１を通して視認可能である。すなわち、後方ディスプレイ１２の表示を前方ディスプレイ１１を透過させて、若しくは、後方ディスプレイ１２の表示を前方ディスプレイ１１の表示に重畳させて、表示可能である。
【００２４】
また、後方ディスプレイ１２が液晶ディスプレイである場合、図２に示すように、後方ディスプレイ１２を構成する液晶パネルの後方にバックライト１５が設けられる。このバックライト１５から発せられた光は、後方ディスプレイ１２の液晶パネルを介して当該後方ディスプレイ１２の前方に射出されて前方ディスプレイ１１に到達し、さらに前方ディスプレイ１１を介して当該前方ディスプレイ１１の前方に進行する。このように後方ディスプレイ１２から前方ディスプレイ１１に入射する光を前方ディスプレイ１１のバックライトとして利用することで、前方ディスプレイ１１の表示が視認可能となる。なお、有機ＥＬディスプレイを用いて後方ディスプレイ１２を構成した場合には、有機ＥＬディスプレイの各画素が自発光するため、バックライト１５は不要となる。
【００２５】
図３は前方ディスプレイ１１及び後方ディスプレイ１２の表示を例示した正面図であり、図３（ａ）は前方ディスプレイ１１の表示を例示した図、図３（ｂ）は後方ディスプレイ１２の表示を例示した図、図３（ｃ）は重畳配置された前方ディスプレイ１１及び後方ディスプレイ１２の前方から見た場合の表示を例示した図である。例えば図３（ａ）に示すように、前方ディスプレイ１１には各種アイコンが表示される。また、前方ディスプレイ１１におけるアイコン以外の領域は透明になるように設定される（例えば前方ディスプレイ１１が液晶ディスプレイを用いて構成されている場合、アイコン以外の領域の色が「白」に設定される）。また、図３（ｂ）に示すように、後方ディスプレイ１２には地図が表示される。この場合、図３（ｃ）に示すように、前方ディスプレイ１１におけるアイコン以外の領域では後方ディスプレイ１２に表示されている地図を前方ディスプレイ１１を透過させて表示可能となっている。また、前方ディスプレイ１１におけるアイコンの領域では、後方ディスプレイ１２に表示されている地図を前方ディスプレイ１１に表示されているアイコンに重畳させて表示可能となっている（すなわち、前方ディスプレイ１１のアイコンと後方ディスプレイ１２の地図とが重なって見える）。
【００２６】
（構成−制御部）
図１に戻り、制御部１３は、表示システム１の各部を制御するための制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示プログラムは、任意の記録媒体又はネットワークを介して表示システム１にインストールされることで、制御部１３の各部を実質的に構成する。
【００２７】
この制御部１３は、機能概念的に、前方制御部１３ａ、後方制御部１３ｂ、及び優先度判定部１３ｃを備えている。前方制御部１３ａは、前方ディスプレイ１１の表示オブジェクトを表示制御する前方制御手段である。後方制御部１３ｂは、前方ディスプレイ１１を通して視認可能な後方ディスプレイ１２の表示オブジェクトを表示制御する後方制御手段である。この後方制御部１３ｂは、仮想的に重畳された複数の表示レイヤー毎の表示制御を行う。また、前方制御部１３ａと後方制御部１３ｂの少なくとも一方は、前方ディスプレイ１１と後方ディスプレイ１２の表示オブジェクトの少なくとも一方の移動に伴い、前方ディスプレイ１１の表示オブジェクトと後方ディスプレイ１２の表示オブジェクトが重畳する場合に、重複範囲にある表示制御する表示オブジェクトを特定し、当該特定した表示オブジェクトの明度を制御する。優先度判定部１３ｃは、前方ディスプレイ１１の表示オブジェクトと後方ディスプレイ１２の表示オブジェクトとの表示の優先度を判定する優先度判定手段である。これらの制御部１３の各部によって実行される処理の詳細については後述する。
【００２８】
（構成−データ記録部）
データ記録部１４は、表示システム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２９】
（処理−表示処理）
次に、このように構成された表示システム１によって実行される表示処理について説明する。図４は表示処理のフローチャートである（以下の各処理の説明ではステップを「Ｓ」と略記する）。例えばナビゲーションアプリケーションやＨＭＩ（Ｈｕｍａｎ  Ｍａｃｈｉｎｅ  Ｉｎｔｅｒｆａｃｅ）アプリケーション（いずれも図示省略）等により、前方ディスプレイ１１及び後方ディスプレイ１２の全体として何を表示するのかが決定された場合に、繰り返し実行される。
【００３０】
図４に示すように、表示処理が開始されると、前方制御部１３ａは、前方ディスプレイ１１に前方基本画像を描画する（ＳＡ１）。「前方基本画像」とは、前方ディスプレイ１１の全面に表示する基本画像であり、例えば、単一色の無模様画像、複数色の模様画像、写真画像、地図画像等が該当する。例えば、前方制御部１３ａは、ナビゲーションアプリケーションやＨＭＩアプリケーションにより決定された表示の中で、前方ディスプレイ１１に表示させるべき前方基本画像を決定する。
【００３１】
次いで、後方制御部１３ｂは、後方ディスプレイ１２に後方基本画像を描画する（ＳＡ２）。「後方基本画像」とは、後方ディスプレイ１２の全面に表示する基本画像であり、例えば、単一色の無模様画像、複数色の模様画像、写真画像、地図画像等が該当する。例えば、後方制御部１３ｂは、ナビゲーションアプリケーションやＨＭＩアプリケーションにより決定された表示の中で、前方ディスプレイ１１に表示させるべき後方基本画像を決定して描画する。図２に例示するように、後方ディスプレイ１２において仮想的に重畳された２つの表示レイヤー（最前方レイヤー及び後方レイヤー）のそれぞれを後方制御部１３ｂが表示制御するような場合には、後方基本画像は、後方レイヤーに表示される。
【００３２】
その後、前方制御部１３ａは、前方ディスプレイ１１に表示した前方基本画像に前方ボタンを重畳描画する（ＳＡ３）。「前方ボタン」とは、ユーザがタッチパッドを介して選択可能なものとして、前方ディスプレイ１１に表示される選択用項目である。例えば、前方制御部１３ａは、ナビゲーションアプリケーションやＨＭＩアプリケーションにより決定された表示の中で、前方ディスプレイ１１に表示させるべき前方ボタンを決定して描画する。
【００３３】
次いで、後方制御部１３ｂは、後方ディスプレイ１２に表示した後方基本画像に後方ボタンを重畳描画する（ＳＡ４）。「後方ボタン」とは、ユーザがタッチパッドを介して選択可能なものとして、後方ディスプレイ１２に表示される選択用項目である。例えば、後方制御部１３ｂは、ナビゲーションアプリケーションやＨＭＩアプリケーションにより決定された表示の中で、後方ディスプレイ１２に表示させるべき後方ボタンを決定して描画する。
【００３４】
その後、制御部１３は、前方表示変更処理（ＳＡ５）と後方表示変更処理（ＳＡ６）とを起動する。図４では、前方表示変更処理の後に後方表示変更処理を実行する例を示しているが、実際には、これら２つの処理は同時又は逆の順序で行うことが可能であり、後述するように、各処理の一部のステップにおいて、他方の処理の一部のステップの結果を用いた処理を行ってもよい。
【００３５】
（処理−表示処理−前方表示変更処理）
まず、前方表示変更処理（ＳＡ５）について説明する。図５は前方表示変更処理のフローチャートである。この処理は、表示対象（後述する前方移動表示対象）が移動する毎に実行される。この処理において、前方制御部１３ａは、前方ディスプレイ１１に表示している前方基本画像に前方移動表示対象を重畳描画する（ＳＢ１）。「前方移動表示対象」とは、前方ディスプレイ１１の表示領域内において移動するように表示する表示対象（表示オブジェクト）である。このような前方移動表示対象としては、例えば、アイコン画像やキャラクター画像が該当し、このような描画を行うことで、表示対象にいわゆるアニメーション効果を持たせることができ、視覚効果を高めることが可能になる（後述する後方移動表示対象、前後移動表示対象、及び後前移動表示対象においても同じ）。なお、前方移動表示対象は、常に同一の画像とは限らず、移動中において形状、色、あるいは後述するように一部の明度が変化するものを含む（後述する後方移動表示対象、前後移動表示対象、及び後前移動表示対象においても同じ）。例えば、前方制御部１３ａは、ナビゲーションアプリケーションやＨＭＩアプリケーションにより決定された表示の中で、前方ディスプレイ１１に表示させるべき前方移動表示対象の表示形態や表示位置等を決定する。
【００３６】
次いで、前方制御部１３ａは、前方ディスプレイ１１に描画した前方移動表示対象の前方表示座標を取得する（ＳＢ２）。「前方表示座標」とは、前方ディスプレイ１１の表示領域に設定された座標であって、例えば、この表示領域における特定位置を原点とするＸ−Ｙ座標である。
【００３７】
また、前方制御部１３ａは、後方表示変更処理において後方ディスプレイ１２に描画する後方移動表示対象の前方対応座標を取得する（ＳＢ３）。「後方移動表示対象」とは、後方ディスプレイ１２に表示する表示対象（表示オブジェクト）の中で、後方ディスプレイ１２の表示領域内において移動するように表示する表示対象（表示オブジェクト）である。「前方対応座標」とは、後方制御部１３ｂによって後方ディスプレイ１２に描画した後方移動表示対象の後方表示座標を、当該後方表示座標に対応する位置の前方表示座標に変換することによって得られた座標である。「後方表示座標」とは、後方ディスプレイ１２の表示領域に設定された座標であって、例えば、この表示領域における特定位置を原点とするＸ−Ｙ座標である。例えば、前方制御部１３ａは、後方表示変更処理において、後方制御部１３ｂによって後方ディスプレイ１２に描画した後方移動表示対象の後方表示座標が取得された場合に、当該後方表示座標を後方制御部１３ｂから取得し、当該取得した後方表示座標を前方表示座標系における座標に所定方法で変換することにより、後方移動表示対象の前方対応座標を取得する。この際、前方表示座標と後方表示座標が一意に対応する場合（例えば、前方ディスプレイ１１の原点位置と後方ディスプレイ１２の原点位置とが相互に対応する位置にあり、前方表示座標のＸ−Ｙ座標と後方表示座標のＸ−Ｙ座標とが同一の座標系である場合）、後方制御部１３ｂから取得した後方表示座標がそのまま前方対応座標となる。
【００３８】
そして、前方制御部１３ａは、前方ディスプレイ１１に描画した前方移動表示対象と、後方表示変更処理において後方ディスプレイ１２に描画する後方移動表示対象とが、相互に重畳するか否かを判定する（ＳＢ４）。例えば、前方制御部１３ａは、ＳＢ２で取得した前方移動表示対象の前方表示座標と、ＳＢ３で取得した後方移動表示対象の前方対応座標とが、少なくともその一部において重複するか否かを判定し、重複する場合には、前方移動表示対象と後方移動表示対象とが相互に重畳すると判定し、重複しない場合には、前方移動表示対象と後方移動表示対象とが相互に重畳しないと判定する。そして、相互に重畳しないと判定した場合には（ＳＢ４、Ｎｏ）、表示変更を行う必要がないものとし、前方表示変更処理を終了して、表示処理に戻る。
【００３９】
一方、相互に重畳すると判定した場合（ＳＢ４、Ｙｅｓ）、優先度判定部１３ｃは、当該重畳する前方移動表示対象と後方移動表示対象との相互間の表示の優先度を判定する（ＳＢ５）。「優先度」とは、前方移動表示対象及び後方移動表示対象の表示を実行又は継続する上での優先順位を示す度合であり、ここでは、優先度が高い程、表示を実行又は継続する必要性が高いものとする。例えば、データ記録部１４には、前方移動表示対象や後方移動表示対象の種別毎の優先度を特定する優先度テーブルが設定されており、優先度判定部１３ｃは、この優先度テーブルを参照して優先度を判定する。優先度テーブルは、例えば、種別＝「緊急地震速報」である場合には優先度＝「３」、種別＝「選択用項目」や「拡大地図」である場合には優先度＝「２」、種別＝「交通情報」である場合には優先度＝「１」が設定されている（この例では、数値が大きい程、優先度が高いことを示している）。この場合、例えば、優先度判定部１３ｃは、重畳する前方移動表示対象の種別が選択用項目であり、後方移動表示対象の種別が緊急地震速報である場合には、前方移動表示対象の方が後方移動表示対象よりも優先度が低いものと判定する。このように優先度テーブルを参照した結果、優先度が同じである場合の決定基準は任意であるが、例えば、後方の優先度が低いものと判定する。なお、種別は、ナビゲーションアプリケーションやＨＭＩアプリケーションから取得する。
【００４０】
そして、前方移動表示対象の方が後方移動表示対象よりも優先度が低いものと判定した場合（ＳＢ５、Ｙｅｓ）、前方制御部１３ａは、重畳範囲に対応する前方移動表示対象の明度を制御する（ＳＢ６）。例えば、前方制御部１３ａは、ＳＢ４で重畳するものと判定された部分（前方移動表示対象の前方表示座標と後方移動表示対象の前方対応座標との重複部分）が消去されるように、前方移動表示対象における当該重畳範囲の明度を「透過」に制御する。ここで「明度」とは、前方ディスプレイ１１や後方ディスプレイ１２における表示色の明るさを意味する値であり、例えば前方ディスプレイ１１や後方ディスプレイ１２が２４ｂｉｔのＲＧＢカラーモデルを用いている場合、０から２５５までの整数値（０が最も暗く、２５５が最も明るい）で表すことができる。本実施の形態では、前方ディスプレイ１１における重畳範囲のＲＧＢをそれぞれ２５５に設定することで、重畳範囲の明度を「透過」として、視覚効果上、重畳範囲を消去する。このように前方移動表示対象における重畳範囲を消去することで、この重畳範囲においては、後方移動表示対象のみが表示されることになり、前方移動表示対象と後方移動表示対象が相互に重畳した場合に、これら２つの移動表示対象の色等が重なり合って視覚的効果を低下させることを防止できる。これにて前方表示変更処理を終了して、表示処理に戻る。
【００４１】
一方、前方移動表示対象の方が後方移動表示対象よりも優先度が低くないと判定した場合（ＳＢ５、Ｎｏ）、前方移動表示対象に対しては表示変更を行う必要がないものとし、前方表示変更処理を終了して、表示処理に戻る。
【００４２】
（処理−表示処理−後方表示変更処理）
次に、図４の後方表示変更処理（ＳＡ６）について説明する。図６は後方表示変更処理のフローチャートである。この処理は、表示対象（後述する後方移動表示対象）が移動する毎に実行される。この処理において、後方制御部１３ｂは、後方ディスプレイ１２に表示している後方基本画像に後方移動表示対象を重畳描画する（ＳＣ１）。「後方移動表示対象」とは、後方ディスプレイ１２の表示領域内において移動するように表示する表示対象（表示オブジェクト）である。例えば、後方制御部１３ｂは、ナビゲーションアプリケーションやＨＭＩアプリケーションにより決定された表示の中で、後方ディスプレイ１２に表示させるべき後方移動表示対象の内容や位置を決定する。
【００４３】
次いで、後方制御部１３ｂは、後方ディスプレイ１２に描画した後方移動表示対象の後方表示座標を取得する（ＳＣ２）。
【００４４】
また、後方制御部１３ｂは、前方ディスプレイ１１に描画した前方移動表示対象の後方対応座標を取得する（ＳＣ３）。「後方対応座標」とは、前方制御部１３ａによって前方ディスプレイ１１に描画した前方移動表示対象の前方表示座標を、当該前方表示座標に対応する位置の後方表示座標に変換することによって得られた座標である。例えば、後方制御部１３ｂは、前方表示変更処理において、前方制御部１３ａによって前方ディスプレイ１１に描画した前方移動表示対象の前方表示座標が取得された場合に、当該前方表示座標を前方制御部１３ａから取得し、当該取得した前方表示座標を後方表示座標系における座標に所定方法で変換することにより、前方移動表示対象の後方対応座標を取得する。
【００４５】
そして、後方制御部１３ｂは、後方ディスプレイ１２に描画した後方移動表示対象と、前方表示変更処理において前方ディスプレイ１１に描画する前方移動表示対象とが、相互に重畳することとなるか否かを判定する（ＳＣ４）。例えば、後方制御部１３ｂは、ＳＣ２で取得した後方移動表示対象の後方表示座標と、ＳＣ３で取得した前方移動表示対象の後方対応座標とが、少なくともその一部において重複するか否かを判定し、重複する場合には、後方移動表示対象と前方移動表示対象とが相互に重畳すると判定し、重複しない場合には、後方移動表示対象と前方移動表示対象とが相互に重畳しないと判定する。
【００４６】
相互に重畳することとなるものと判定した場合（ＳＣ４、Ｙｅｓ）、優先度判定部１３ｃは、当該重畳する前方移動表示対象と後方移動表示対象との相互間の表示の優先度を判定する（ＳＣ５）。この優先度の判定は、図５の前方表示変更処理のＳＢ５と同様に行うことができる。
【００４７】
そして、後方移動表示対象の方が前方移動表示対象よりも優先度が低いものと判定した場合（ＳＣ５、Ｙｅｓ）、後方制御部１３ｂは、重畳範囲に対応する後方移動表示対象の明度を制御する（ＳＣ６）。例えば、後方制御部１３ｂは、ＳＣ４で重畳するものと判定された部分（後方移動表示対象の後方表示座標と前方移動表示対象の後方対応座標との重複部分）が消去されるように、後方移動表示対象の重畳範囲の明度を「透過」に制御する。この制御は、図５の前方表示変更処理のＳＢ６と同様に行うことができる。このように後方移動表示対象における重畳範囲を消去することで、この重畳範囲においては、前方移動表示対象のみが表示されることになり、前方移動表示対象と後方移動表示対象が相互に重畳した場合に、これら２つの移動表示対象の色等が重なり合って視覚的効果を低下させることを防止できる。これにて後方表示変更処理を終了し、表示処理に戻り、表示処理を終了する。
【００４８】
一方、後方移動表示対象の方が前方移動表示対象よりも優先度が低くないと判定した場合（ＳＣ６、Ｎｏ）、後方移動表示対象に対しては表示変更を行う必要がないものとし、後方表示変更処理を終了して、表示処理に戻り、表示処理を終了する。
【００４９】
図７は、前方ディスプレイ１１及び後方ディスプレイ１２の表示を例示した正面図であり、図７（ａ）は前方ディスプレイ１１の表示を例示した図、図７（ｂ）は後方ディスプレイ１２の表示を例示した図、図７（ｃ）は図７（ｂ）の領域Ａの拡大図である。例えば、図７（ａ）に示すように、前方ディスプレイ１１に前方移動表示対象が表示されており、図７（ｂ）に示すように、後方ディスプレイ１２に後方移動表示対象が表示されており、これら前方移動表示対象と後方移動表示対象とが相互に重畳している場合であって、後方移動表示対象の方が前方移動表示対象よりも優先度が低い場合には、図７（ｃ）に示すように、後方移動表示対象の一部である領域Ｂを消去する。
【００５０】
（実施の形態１の効果）
このように実施の形態１によれば、前方ディスプレイ１１と後方ディスプレイ１２の表示オブジェクトの少なくとも一方の移動に伴い、前方ディスプレイ１１の表示オブジェクトと後方ディスプレイ１２の表示オブジェクトが重畳する場合に、重複範囲にある表示制御する表示オブジェクトを特定し、当該特定した表示オブジェクトの明度を制御するので、重畳範囲において表示対象が見難くなることを回避でき、移動する表示対象の視覚効果を向上させることができる。
【００５１】
また、前方ディスプレイ１１の表示オブジェクトの優先度が低いと判定された場合に、前方ディスプレイ１１の表示オブジェクトの明度を制御し、後方ディスプレイ１２の表示オブジェクトの優先度が低いと判定された場合に、後方ディスプレイ１２の表示オブジェクトの明度を制御するので、優先度が低い表示対象を消去したり暗くしたりすることで、優先度が高い表示対象を強調等することができ、移動する表示対象の視覚効果を向上させることができる。
【００５２】
また、重畳範囲に対応する前方ディスプレイ１１又は後方ディスプレイ１２の表示オブジェクトを消去するので、重畳範囲の一方を完全に消去することで、重畳範囲の他方を一層強調等することができ、移動する表示対象の視覚効果を一層向上させることができる。
【００５３】
〔実施の形態２〕
次に、実施の形態２に係る表示システムについて説明する。この実施の形態２は、前方ディスプレイの表示領域と後方ディスプレイの表示領域の相互間で移動する移動表示対象の明度を制御する形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５４】
（構成）
最初に、実施の形態２に係る表示システム２の構成について説明する。図８は実施の形態２に係る表示システム２を例示するブロック図である。この図８に示すように、制御部１６は、機能概念的に、前方制御部１６ａ、後方制御部１６ｂ、及び移動方向判定部１６ｃを備えている。前方制御部１６ａ、後方制御部１６ｂは、後述する処理内容を除いて、実施の形態１の前方制御部１３ａ、後方制御部１３ｂとそれぞれ同様に構成されている。移動方向判定部１６ｃは、前方ディスプレイ１１と後方ディスプレイ１２との相互間において同一の表示対象を移動するように表示する場合において、表示対象の移動方向を判定する移動方向判定手段である。これらの制御部１６の各部によって実行される処理の詳細については後述する。
【００５５】
（処理−表示処理）
次に、このように構成された表示システム２によって実行される表示処理について説明する。図９は表示処理のフローチャートである。この処理において、ＳＤ１〜ＳＤ４は、図４に示した実施の形態１の表示処理のＳＡ１〜ＳＡ４とそれぞれ同様であるため、その説明は省略する。
【００５６】
ＳＤ４の後、前後表示変更処理（ＳＤ５）と後前表示変更処理（ＳＤ６）とが起動される。図９では、前後表示変更処理の後に後前表示変更処理を実行する例を示しているが、実際には、これら２つの処理は同時又は逆の順序で行うことが可能であり、後述するように、各処理の一部のステップにおいて、他方の処理の一部のステップの結果を用いた処理を行ってもよい。
【００５７】
（処理−表示処理−前後表示変更処理）
まず、前後表示変更処理（ＳＤ５）について説明する。図１０は前後表示変更処理のフローチャートである。この処理において、前方制御部１６ａは、前方ディスプレイ１１に表示している前方基本画像に前後移動表示対象を重畳描画する（ＳＥ１）。「前後移動表示対象」とは、前方ディスプレイ１１の表示領域から後方ディスプレイ１２の表示領域に同一の表示対象を移動する場合における当該表示対象（表示オブジェクト）である。例えば、前方制御部１６ａは、ナビゲーションアプリケーションやＨＭＩアプリケーションにより決定された表示の中で、前方ディスプレイ１１に表示させるべき前後移動表示対象の内容や位置を決定する。
【００５８】
次いで、前方制御部１６ａは、前方ディスプレイ１１に描画した前後移動表示対象の大きさを取得する（ＳＥ２）。「大きさ」とは、前後移動表示対象や後述する後前移動表示対象が前方ディスプレイ１１の表示領域と後方ディスプレイ１２の表示領域との相互間で移動したことを判定するための基準とする概念であり、例えば、前後移動表示対象や後前移動表示対象の表示面積や最大外形寸法が該当する。大きさは、ナビゲーションアプリケーションやＨＭＩアプリケーションから取得する。
【００５９】
その後、前方制御部１６ａは、前方ディスプレイ１１に描画した前後移動表示対象の大きさを、一定割合で縮小する（ＳＥ３）。例えば、一定割合＝５％である場合、前方制御部１６ａは、ＳＥ２で取得した前後移動表示対象の大きさを５％縮小した上で、当該縮小後の前後移動表示対象を前方ディスプレイ１１に再描画する。この縮小の割合や、縮小後の再描画の位置は、ナビゲーションアプリケーションやＨＭＩアプリケーションから取得する。
【００６０】
そして、移動方向判定部１６ｃは、前後移動表示対象の大きさが、所定値未満になったか否かを判定することにより、前後移動表示対象の移動方向が前方から後方に至る方向であるか否かを判定する（ＳＥ４）。例えば、所定値＝１ｃｍである場合、移動方向判定部１６ｃは、ＳＥ３で縮小した前後移動表示対象の大きさが１ｃｍ未満になったか否かを判定し、１ｃｍ未満になっていない場合には、前後移動表示対象の移動方向は不確定状態（移動している可能性があるが、前方ディスプレイ１１の表示領域内部での移動であり、前方ディスプレイ１１から後方ディスプレイ１２への移動であるとは特定できない状態）であると判定し、１ｃｍ未満になった場合には、前後移動表示対象の移動方向が前方から後方に至る方向であると判定する。
【００６１】
その後、前後移動表示対象の大きさが、所定値未満になっていないと判定された場合には（ＳＥ４、Ｎｏ）、所定値未満になったと判定されるまでＳＥ３とＳＥ４を繰り返し、所定値未満になったと判定された場合には（ＳＥ４、Ｙｅｓ）、後方制御部１６ｂは、後方ディスプレイ１２に表示している後方基本画像に前後移動表示対象を重畳描画する（ＳＥ５）。例えば、後方制御部１６ｂは、後方ディスプレイ１２の表示領域において、その直前に前方ディスプレイ１１に前後移動表示対象を表示していた位置に対応する位置に、その直前に前方ディスプレイ１１に表示していたものと同じ大きさの前後移動表示対象を描画する。
【００６２】
また、前方制御部１６ａは、前方ディスプレイ１１に表示している前後移動表示対象を消去する（ＳＥ６）。例えば、前方制御部１６ａは、前後移動表示対象が消去されるように、前後移動表示対象の表示領域の明度を「透過」に制御する。このような処理を行うことで、前後移動表示対象を前方ディスプレイ１１から後方ディスプレイ１２に移動させることができ、視覚効果を高めることができる。また、前方ディスプレイ１１の前後移動表示対象と後方ディスプレイ１２の前後移動表示対象とが重畳することを防止できるので、これら相互に重畳した場合に、これら２つの移動表示対象の色等が重なり合って視覚的効果を低下させることを防止できる。これにて前後表示変更処理を終了し、表示処理に戻る。
【００６３】
（処理−表示処理−後前表示変更処理）
次に、図９の後前表示変更処理（ＳＤ６）について説明する。図１１は後前表示変更処理のフローチャートである。この処理において、後方制御部１６ｂは、後方ディスプレイ１２に表示している後方基本画像に後前移動表示対象を重畳描画する（ＳＦ１）。「後前移動表示対象」とは、後方ディスプレイ１２の表示領域から前方ディスプレイ１１の表示領域に同一の表示対象を移動する場合における当該表示対象（表示オブジェクト）である。例えば、後方制御部１６ｂは、ナビゲーションアプリケーションやＨＭＩアプリケーションにより決定された表示の中で、後方ディスプレイ１２に表示させるべき後前移動表示対象の内容や位置を決定する。
【００６４】
次いで、後方制御部１６ｂは、後方ディスプレイ１２に描画した後前移動表示対象の大きさを取得する（ＳＦ２）。大きさは、ナビゲーションアプリケーションやＨＭＩアプリケーションから取得する。
【００６５】
その後、後方制御部１６ｂは、後方ディスプレイ１２に描画した後前移動表示対象の大きさを、一定割合で縮小する（ＳＦ３）。例えば、一定割合＝５％である場合、後方制御部１６ｂは、ＳＦ２で取得した後前移動表示対象の大きさを５％縮小した上で、当該縮小後の後前移動表示対象を後方ディスプレイ１２に再描画する。この縮小の割合や、縮小後の再描画の位置は、ナビゲーションアプリケーションやＨＭＩアプリケーションから取得する。
【００６６】
そして、移動方向判定部１６ｃは、後前移動表示対象の大きさが、所定値未満になったか否かを判定することにより、後前移動表示対象の移動方向が後方から前方に至る方向であるか否かを判定する（ＳＦ４）。例えば、所定値＝１ｃｍである場合、移動方向判定部１６ｃは、ＳＦ３で縮小した後前移動表示対象の大きさが１ｃｍ未満になったか否かを判定し、１ｃｍ未満になっていない場合には、後前移動表示対象の移動方向は不確定状態（移動している可能性があるが、後方ディスプレイ１２の表示領域内部での移動であり、移動方向が後方から前方に至る方向であるとは特定できない状態）であると判定し、１ｃｍ未満になった場合には、後前移動表示対象の移動方向が後方から前方に至る方向であると判定する。
【００６７】
その後、後前移動表示対象の大きさが、所定値未満になっていないと判定された場合には（ＳＦ４、Ｎｏ）、所定値未満になったと判定されるまでＳＦ３とＳＦ４を繰り返し、所定値未満になったと判定された場合には（ＳＦ４、Ｙｅｓ）、前方制御部１６ａは、前方ディスプレイ１１に表示している前方基本画像に後前移動表示対象を重畳描画する（ＳＦ５）。例えば、前方制御部１６ａは、前方ディスプレイ１１の表示領域において、その直前に後方ディスプレイ１２に後前移動表示対象を表示していた位置に対応する位置に、その直前に後方ディスプレイ１２に表示していたものと同じ大きさの後前移動表示対象を描画する。
【００６８】
また、後方制御部１６ｂは、後方ディスプレイ１２に表示している後前移動表示対象を消去する（ＳＦ６）。例えば、後方制御部１６ｂは、後前移動表示対象が消去されるように、後前移動表示対象の表示領域の明度を「透過」に制御する。このような処理を行うことで、後前移動表示対象を後方ディスプレイ１２から前方ディスプレイ１１に移動させることができ、視覚効果を高めることができる。また、前方ディスプレイ１１の前後移動表示対象と後方ディスプレイ１２の前後移動表示対象とが重畳することを防止できるので、これら相互に重畳した場合に、これら２つの移動表示対象の色等が重なり合って視覚的効果を低下させることを防止できる。これにて後前表示変更処理を終了し、表示処理に戻り、表示処理を終了する。
【００６９】
（実施の形態２の効果）
このように実施の形態２によれば、前方ディスプレイ１１と後方ディスプレイ１２の表示オブジェクトの少なくとも一方の移動に伴い、前方ディスプレイ１１の表示オブジェクトと後方ディスプレイ１２の表示オブジェクトが重畳する場合に、重複範囲にある表示制御する表示オブジェクトを特定し、当該特定した表示オブジェクトの明度を制御するので、重畳範囲において表示対象が見難くなることを回避でき、移動する表示対象の視覚効果を向上させることができる。
【００７０】
また、表示オブジェクトの移動方向が前方ディスプレイ１１から後方ディスプレイ１２に至る方向であると判定された場合に、前方ディスプレイ１１の表示オブジェクトを後方ディスプレイ１２に表示した後に、前方ディスプレイ１１の表示オブジェクトの明度を制御し、表示オブジェクトの移動方向が後方から前方に至る方向であると判定された場合に、後方ディスプレイ１２の表示オブジェクトを前方ディスプレイ１１に表示した後に、重畳範囲にある後方ディスプレイ１２の表示オブジェクトの明度を制御するので、移動元の表示対象を消去したり暗くしたりすることで、移動先の表示対象を強調等することができ、移動する表示対象の視覚効果を向上させることができる。
【００７１】
また、重畳範囲に対応する前方ディスプレイ１１又は後方ディスプレイ１２の表示オブジェクトを消去するので、重畳範囲の一方を完全に消去することで、重畳範囲の他方を一層強調等することができ、移動する表示対象の視覚効果を一層向上させることができる。
【００７２】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００７３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、移動する表示対象の視認性が完全に向上できていない場合であっても、視認性を従来技術より僅かでも向上できている場合や、従来技術とは異なる技術で従来と同等の視認性を得ている場合には、課題が解決されている。
【００７４】
（表示システムについて）
上述の実施の形態では、前方ディスプレイ１１と後方ディスプレイ１２が距離を隔てて重畳配置された表示システム１について説明したが、このような２枚のディスプレイを重畳配置する場合に限らず、３枚以上の複数のディスプレイが距離を隔てて重畳配置された表示システムにも本発明を同様に適用することができる。
【００７５】
（明度の制御について）
上述の実施の形態では、重複する場合や移動方向が判定された場合において、前方ディスプレイ又は後方ディスプレイの明度を透過させることにより、前方移動表示対象、後方移動表示対象、前後移動表示対象、あるいは後前移動表示対象を消去しているが、完全に消去しなくても視覚効果を改善できる場合には、完全に消去するのではなく、これら各移動表示対象における重複範囲の明度を明るくするように制御してもよい。
【００７６】
（実施の形態の相互間の関係について）
実施の形態１の構成又は処理と、実施の形態２の構成又は処理とは、その一部を他方に取り入れたり、相互に交換したりすることができる。例えば、移動表示対象が、前方ディスプレイ１１の表示領域内や後方ディスプレイ１２の表示領域内で移動すると共に、これら表示領域の相互間で移動する場合には、実施の形態１の前方表示変更処理及び後方表示変更処理に加えて、実施の形態２の前後表示変更処理及び後前表示変更処理を行ってもよい。
【００７７】
（優先度について）
実施の形態１では、前方移動表示対象と後方移動表示対象の優先度を判定しているが、これら前方移動表示対象と後方移動表示対象の所定の一方の優先度が常に高いものと決定しておくことで、優先度の判定を省略してもよい。
【００７８】
（移動方向判定について）
実施の形態２では、前後移動表示対象や後前移動表示対象の大きさが、所定値未満になったか否かを判定することにより、前後移動表示対象や後前移動表示対象の移動方向を判定している。これは、前後の移動を行う場合には、大きさを変えることで立体感を出すことを前提としているためであるが、このような立体的な表示が必要ない場合には、前後移動表示対象や後前移動表示対象の大きさを変えることなく、前方から後方に移動したり、後方から前方に移動したりすることも考えられる。この場合、大きさに基づく移動方向の判定を行うことができないため、例えば、ナビゲーションアプリケーションやＨＭＩアプリケーションから移動方向を取得してもよい。
【符号の説明】
【００７９】
１、２  表示システム
１０  タッチパネル
１１  前方ディスプレイ
１２  後方ディスプレイ
１３、１６  制御部
１３ａ、１６ａ  前方制御部
１３ｂ、１６ｂ  後方制御部
１３ｃ  優先度判定部
１６ｃ  移動方向判定部
１４  データ記録部
１５  バックライト
【図１】
2013130842.tif 000003
【図２】
2013130842.tif 000004
【図３】
2013130842.tif 000005
【図４】
2013130842.tif 000006
【図５】
2013130842.tif 000007
【図６】
2013130842.tif 000008
【図７】
2013130842.tif 000009
【図８】
2013130842.tif 000010
【図９】
2013130842.tif 000011
【図１０】
2013130842.tif 000012
【図１１】
2013130842.tif 000013